(57)【要約】【課題】ユーザの好みに応じた趣向性の高い合成画像データを生成することができる画像処理装置を提供すること。【解決手段】画像処理装置は、画像データを取得する画像取得部７２と、画像データの有する特徴をユーザが指定するための指定部５と、指定部５で指定された特徴として、特定の色相の範囲内にある画像領域を抽出する領域抽出部７３と、少なくとも領域抽出部７３にて抽出された領域をＨＤＲ合成処理し、領域抽出部７３にて抽出されなかった領域との合成画像データを生成する合成画像生成部７４とを備える。【選択図】図１
2017033274.tif 000002
【特許請求の範囲】
【請求項１】
画像データを取得する画像取得部と、
前記画像データの有する特徴をユーザが指定するための指定部と、
前記指定部で指定された特徴として、特定の色相の範囲内にある画像領域を抽出する領域抽出部と、
少なくとも前記領域抽出部にて抽出された領域をＨＤＲ合成処理し、前記領域抽出部にて抽出されなかった領域との合成画像データを生成する合成画像生成部とを備える
ことを特徴とする画像処理装置。
【請求項２】
前記特定の色相の指定を行う前記指定部は、
画像の領域、色相環、またはヒストグラムで指定する
ことを特徴とする請求項１に記載の画像処理装置。
【請求項３】
表示部をさらに備え、
前記特定の色相の指定を行う前記指定部は、
前記表示部に順次表示される画像を観察しながらユーザが指定可能である
ことを特徴とする請求項１に記載の画像処理装置。
【請求項４】
前記画像取得部は、
複数の露出条件で撮像して得られた複数の前記画像データを取得し、
前記領域抽出部は、
前記複数の画像データのいずれかを用いて、特定の色相の範囲内にある画像領域を抽出する
ことを特徴とする請求項１に記載の画像処理装置。
【請求項５】
前記領域抽出部にて抽出された領域の信号レベルに基づいて、ヒストグラムを生成するヒストグラム生成部をさらに備える
ことを特徴とする請求項１に記載の画像処理装置。
【請求項６】
前記領域抽出部にて抽出されなかった領域の信号レベルに基づいて、ヒストグラムを生成するヒストグラム生成部をさらに備える
ことを特徴とする請求項１に記載の画像処理装置。
【請求項７】
表示部と、
前記合成画像データ及び前記ヒストグラムを同時に前記表示部に表示させる表示制御部とをさらに備える
ことを特徴とする請求項５または６に記載の画像処理装置。
【請求項８】
前記合成画像生成部は、
前記ヒストグラムが操作されることにより、前記領域抽出部にて抽出された領域、または前記領域抽出部にて抽出されなかった領域の信号レベルを調整する
ことを特徴とする請求項７に記載の画像処理装置。
【請求項９】
前記画像取得部は、
複数の露出条件で撮像して得られた複数の前記画像データを取得し、
前記領域抽出部は、
前記複数の画像データのうち、当該領域の信号レベルが飽和していない画像データを選択する
ことを特徴とする請求項１に記載の画像処理装置。
【請求項１０】
前記画像取得部は、
複数の露出条件で撮像して得られた複数の前記画像データを取得し、
前記領域抽出部は、
前記複数の画像データのうち、当該領域の信号レベルがノイズレベルにない画像データを選択する
ことを特徴とする請求項１に記載の画像処理装置。
【請求項１１】
記録部と、
前記記録部に記録された画像データを取得する画像取得部と、
前記画像データの有する補助情報から、ユーザが指定した画像の特徴情報と、関連する画像データを判定する判定部と、
前記特徴情報に従った画像データの特定抽出領域をＨＤＲ合成処理し、前記特定抽出領域以外の領域との合成画像データを生成する合成画像生成部とを備える
ことを特徴とする画像処理装置。
【請求項１２】
画像処理装置が実行する画像処理方法であって、
画像データを取得し、
ユーザにて指定された前記画像データの有する特徴として、特定の色相の範囲内にある画像領域を抽出し、
少なくとも前記抽出された領域をＨＤＲ合成処理し、前記抽出されなかった領域との合成画像データを生成する
ことを特徴とする画像処理方法。
【請求項１３】
請求項１２に記載の画像処理方法を画像処理装置に実行させる
ことを特徴とする画像処理プログラム。
【発明の詳細な説明】
【技術分野】
【０００１】
本発明は、画像処理装置、画像処理方法、及び画像処理プログラムに関する。
【背景技術】
【０００２】
近年、撮像素子のダイナミックレンジの不足を補うＨＤＲ（High Dynamic Range）撮影を行う撮像装置が知られている（例えば、特許文献１参照）。
特許文献１に記載の撮像装置は、露出値（ＥＶ（Exposure Value））を変えながら同一の被写体を連写（複数回、撮像）することにより得られた複数の画像データを合成（ＨＤＲ合成）して合成画像データを生成するＨＤＲ撮影を行っている。
【先行技術文献】
【特許文献】
【０００３】
【特許文献１】特開２０１２−２０４９５２号公報
【発明の概要】
【発明が解決しようとする課題】
【０００４】
しかしながら、特許文献１の撮像装置では、複数の画像データにおける全画素についてＨＤＲ合成を行うことにより合成画像データを生成している。このため、画像部分やユーザの好みに応じての画質調節の工夫が求められた。
【０００５】
本発明は、上記に鑑みてなされたものであって、ユーザの好みに応じた趣向性の高い合成画像データを生成することができる画像処理装置、画像処理方法、及び画像処理プログラムを提供することを目的とする。
【課題を解決するための手段】
【０００６】
上述した課題を解決し、目的を達成するために、本発明に係る画像処理装置は、画像データを取得する画像取得部と、前記画像データの有する特徴をユーザが指定するための指定部と、前記指定部で指定された特徴として、特定の色相の範囲内にある画像領域を抽出する領域抽出部と、少なくとも前記領域抽出部にて抽出された領域をＨＤＲ合成処理し、前記領域抽出部にて抽出されなかった領域との合成画像データを生成する合成画像生成部とを備えることを特徴とする。
【０００７】
また、本発明に係る画像処理装置は、記録部と、前記記録部に記録された画像データを取得する画像取得部と、前記画像データの有する補助情報から、ユーザが指定した画像の特徴情報と、関連する画像データを判定する判定部と、前記特徴情報に従った画像データの特定抽出領域をＨＤＲ合成処理し、前記特定抽出領域以外の領域との合成画像データを生成する合成画像生成部とを備えることを特徴とする。
【０００８】
また、本発明に係る画像処理方法は、画像処理装置が実行する画像処理方法であって、画像処理装置が実行する画像処理方法であって、画像データを取得し、ユーザにて指定された前記画像データの有する特徴として、特定の色相の範囲内にある画像領域を抽出し、少なくとも前記抽出された領域をＨＤＲ合成処理し、前記抽出されなかった領域との合成画像データを生成することを特徴とする。
【０００９】
また、本発明に係る画像処理プログラムは、上述した画像処理方法を画像処理装置に実行させることを特徴とする。
【発明の効果】
【００１０】
本発明に係る画像処理装置によれば、ユーザの好みに応じた趣向性の高い合成画像データを生成することができる、という効果を奏する。
本発明に係る画像処理方法は、上述した画像処理装置が行う方法であるため、上述した画像処理装置と同様の効果を奏する。
本発明に係る画像処理プログラムは、上述した画像処理装置にて実行されるプログラムであるため、上述した画像処理装置と同様の効果を奏する。
【図面の簡単な説明】
【００１１】
【図１】図１は、本発明の実施の形態１に係る撮像装置の構成を示すブロック図である。
【図２】図２は、図１に示した撮像装置の動作を示すフローチャートである。
【図３】図３は、図１に示した表示部に表示されるメニュー画面の一例を示す図である。
【図４】図４は、図３に示したメニュー画面上で第２操作アイコン（特定色相ＨＤＲモード）が選択された際に表示される色相選択画像の一例を示す図である。
【図５】図５は、図２に示した色相補正処理（ステップＳ９，Ｓ１３）を示すフローチャートである。
【図６Ａ】図６Ａは、図５に示したステップＳ１３６Ｂを説明する図である。
【図６Ｂ】図６Ｂは、図５に示したステップＳ１３６Ｂを説明する図である。
【図７】図７は、本発明の実施の形態２に係る撮像装置の動作を示すフローチャートである。
【図８】図８は、図７に示したヒストグラム表示処理（ステップＳ１７）を示すフローチャートである。
【図９】図９は、図８に示したヒストグラム表示（ステップＳ１７８）で表示部に表示される重畳画像の一例を示す図である。
【図１０】図１０は、図７に示したヒストグラム調整処理（ステップＳ１８）を示すフローチャートである。
【図１１】図１１は、図７及び図１０に示したヒストグラム調整処理（ステップＳ１８）を説明する図である。
【図１２Ａ】図１２Ａは、図７及び図１０に示したヒストグラム調整処理（ステップＳ１８）を説明する図である。
【図１２Ｂ】図１２Ｂは、図７及び図１０に示したヒストグラム調整処理（ステップＳ１８）を説明する図である。
【図１２Ｃ】図１２Ｃは、図７及び図１０に示したヒストグラム調整処理（ステップＳ１８）を説明する図である。
【図１３】図１３は、図７に示した色相補正処理（ステップＳ１５，Ｓ１６）を示すフローチャートである。
【図１４】図１４は、図１３に示したＨＤＲ合成処理（ステップＳ１６２，Ｓ１６３）を示すフローチャートである。
【図１５】図１５は、本発明の実施の形態１，２の変形例を示す図である。
【発明を実施するための形態】
【００１２】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１３】
（実施の形態１）
〔撮像装置の概略構成〕
以下、画像取得部で得られた画像データの有する特徴をユーザが指定すると、これを判定して、指定された特定の画像を強調する技術を説明する。特に、指定された特徴として所定の色相の範囲内にある画像領域を抽出してＨＤＲ合成処理することで、上記抽出領域以外との差異を際立たせて、趣向性の高い合成画像データを生成する技術について具体的に説明する。特に、特定の色相の指定を行う指定部を駆使し、画像の領域、色相環、またはヒストグラムで指定した、ユーザのこだわりの色を重視した画像処理を可能としている。
図１は、本発明の実施の形態１に係る撮像装置１の構成を示すブロック図である。
撮像装置１は、カメラユーザによるユーザ操作に応じた各種のカメラモード（「再生モード」や「特定色相ＨＤＲモード」等）に切替可能に構成されている。
「特定色相ＨＤＲモード」は、露出値（ＥＶ）を変えながら同一の被写体を連写（複数回、撮像）することにより得られた複数の画像データを合成（ＨＤＲ合成）することにより、撮像素子のダイナミックレンジの不足を補うＨＤＲ撮影（スルー画ＨＤＲ撮影、静止画ＨＤＲ撮影）を行うモードである。
「再生モード」は、既に撮影及び記録された画像データ（例えば、上記合成画像データ）に対応する画像を表示するモードである。
以下では、撮像装置１の構成として、本発明の要部（撮像装置１が「特定色相ＨＤＲモード」に設定されている場合での機能）を主に説明する。
この撮像装置１は、図１に示すように、撮像部２と、メモリ部３と、記録部４と、操作部５と、表示部６と、制御部７とを備える。
【００１４】
撮像部２は、制御部７による制御の下、被写体を撮像して画像データを生成する。この撮像部２は、図１に示すように、光学系２１と、絞り２２と、シャッタ２３と、駆動部２４と、撮像素子２５とを備える。
光学系２１は、少なくともフォーカスレンズ及びズームレンズを有する撮像光学系であり、所定の視野領域からフォーカスレンズで集光した光を撮像素子２５の受光面に結像する。
絞り２２は、光学系２１が集光した光の入射量を制限することで露出の調整を行う。
シャッタ２３は、フォーカルプレーンシャッタ等を用いて構成され、撮像素子２５の光路入射側に配設される。そして、シャッタ２３は、光学系２１が集光した光を撮像素子２５に入射させる露光状態、または、光学系２１が集光した光を遮断する遮光状態に切り替える。
駆動部２４は、制御部７による制御の下、光学系２１における光軸Ｌax（図１）に沿った移動、絞り２２の絞り量の調整（Ｆ値の調整）、及びシャッタ２３の露光状態または遮光状態への切替を実行する。
【００１５】
撮像素子２５は、ＣＣＤ（Charge Coupled Device）やＣＭＯＳ（Complementary Metal Oxide Semiconductor）等を用いて構成され、光学系２１が結像した被写体像を受光して光電変換を行うことによって画像データを生成する。
なお、具体的な図示は省略したが、撮像素子２５の受光面上には、透過させる光の波長帯域に応じてグループ分けされた複数のフィルタ群が所定の形式（例えば、ベイヤ配列）で配列されたカラーフィルタが設けられている。
より具体的に、当該カラーフィルタは、赤の波長帯域の光を透過させる赤フィルタ群と、青の波長帯域の光を透過させる青フィルタ群と、緑の波長帯域の光を透過させる第１緑フィルタ群（赤フィルタ群と同一の列に配列）と、緑の波長帯域の光を透過させる第２緑フィルタ群（青フィルタ群と同一の列に配列）とを有する。
すなわち、撮像素子２５にて生成された画像データは、画素毎に、赤フィルタ群を介した入射光に応じたＲ信号（色成分信号）、青フィルタ群を介した入射光に応じたＢ信号（色成分信号）、第１緑フィルタ群を介した入射光に応じた第１Ｇ信号（色成分信号）、及び第２緑フィルタ群を介した入射光に応じた第２Ｇ信号（色成分信号）を含む。
【００１６】
メモリ部３は、撮像部２の撮像素子２５にて生成された画像データを記憶する。
記録部４は、制御部７が実行する各種プログラム（本発明に係る画像処理プログラムを含む）等を記録する。また、記録部４は、カメラユーザによる操作部５への撮影操作に応じて制御部７にて生成された合成画像データを記録する。
操作部５は、本発明に係る指定部及び操作受付部としての機能を有し、ユーザ操作を受け付けるボタン、スイッチ、タッチパネル等を用いて構成され、当該ユーザ操作に応じた指示信号を制御部７に出力する。
表示部６は、液晶または有機ＥＬ（Electro Luminescence）等からなる表示パネルを用いて構成されている。そして、表示部６は、制御部７による制御の下、所定の画像を表示する。
【００１７】
制御部７は、ＣＰＵ（Central Processing Unit）等を用いて構成され、操作部５からの指示信号等に応じて撮像装置１を構成する各部に対する指示やデータの転送等を行って撮像装置１の動作を統括的に制御する。この制御部７は、図１に示すように、露出設定部７１と、撮像制御部７２と、特定画素抽出部７３と、合成画像生成部７４と、表示制御部７５とを備える。
露出設定部７１は、駆動部２４を動作させてＦ値及びシャッタスピードで決まる露出値（ＥＶ）を変更しながら撮像部２に撮影（電子シャッタによる撮影）させ、当該撮影により得られた各画像データ（ライブビュー画像データ）に基づいて、ＨＤＲ撮影（スルー画ＨＤＲ撮影、静止画ＨＤＲ撮影）で連写する際の露出値（ＥＶ）の範囲を設定する（以下、ＨＤＲ測光と記載）。
例えば、露出設定部７１は、露出値（ＥＶ）を変更しながら撮影（電子シャッタによる撮影）させた各ライブビュー画像データに対応する各ライブビュー画像を複数の領域にそれぞれ分割し、当該複数の領域のうち一の領域に着目して、黒つぶれが生じているか、白とびが生じているかを検出する。そして、露出設定部７１は、黒つぶれが生じた領域を有するライブビュー画像を撮影した際の露出値（ＥＶ）から、白とびが生じた領域を有するライブビュー画像を撮影した際の露出値（ＥＶ）までを、ＨＤＲ撮影（スルー画ＨＤＲ撮影、静止画ＨＤＲ撮影）で連写する際の露出値（ＥＶ）の範囲に設定する。なお、このような露出値（ＥＶ）の設定は、公知の多分割測光のアルゴリズムや黒つぶれ及び白とびを検出するアルゴリズムを用いて実行することができる。
なお、露出値（ＥＶ）の範囲については、上記のようにＨＤＲ測光により自動的に設定する構成の他、カメラユーザによる操作部５への操作（選択）に応じて、適宜、設定する構成としても構わない。また、「露出」と書いたが、画像の信号量を増幅したり低減させたりしても同様の効果が得られるので、このような制御も含んでいるものとする。
【００１８】
撮像制御部７２は、駆動部２４を動作させて露出設定部７１にて設定された範囲で露出値（ＥＶ）を変更しながら所定の撮影枚数だけ撮像部２に撮影（電子シャッタによる撮影）させ、当該撮影により得られた複数のライブビュー画像データ（以下、スルー画ＨＤＲ用画像データと記載）を取得するスルー画ＨＤＲ撮影を実行する。
また、撮像制御部７２は、カメラユーザによる操作部５への撮影操作に応じて、駆動部２４を動作させて露出設定部７１にて設定された範囲で露出値（ＥＶ）を変更しながら所定の撮影枚数だけ撮像部２に撮影（メカシャッタ（シャッタ２３）による撮影）させ、当該撮影により得られた複数の撮影画像データ（以下、静止画ＨＤＲ用画像データと記載）を取得する静止画ＨＤＲ撮影を実行する。
すなわち、撮像制御部７２は、複数のＨＤＲ用画像データ（スルー画ＨＤＲ用画像データ、静止画ＨＤＲ用画像データ）を取得するため、本発明に係る画像取得部としての機能を有する。
【００１９】
特定画素抽出部７３は、本発明に係る領域抽出部としての機能を有する。この特定画素抽出部７３は、メモリ部３に記憶された複数のＨＤＲ用画像データから画素毎の画素データ（Ｒ信号、Ｂ信号、第１，第２Ｇ信号）をそれぞれ取得し、当該複数のＨＤＲ用画像データにおける画素毎の色相をそれぞれ算出する。そして、特定画素抽出部７３は、当該複数のＨＤＲ用画像データ毎に、特定の色相の範囲内にある色相を有する特定画素を抽出する色相選別処理を実行する。
合成画像生成部７４は、ＨＤＲ合成処理により複数のＨＤＲ用画像データにおける特定画素のうち対応する画素同士から一の特定画素を選択し、当該選択した特定画素と、色相選別処理にて抽出されなかった非特定画素とにより構成された合成画像データ（複数のスルー画ＨＤＲ画像データを用いた場合にはスルー画用合成画像データ、複数の静止画ＨＤＲ用画像データを用いた場合には静止画用合成画像データ）を生成する。そして、合成画像生成部７４は、スルー画用合成画像データを生成した場合には当該スルー画用合成画像データをメモリ部３に記憶し、静止画用合成画像データを生成した場合には当該静止画用合成画像データを記録部４に記録する。なお、静止画用合成画像データと書いた部分は、動画でもよいし、記録部４に記録する際には、合成前の画像でもよい。この場合、合成時のこだわりに対して、後から補正すること等が可能となる。また、記録部４は、撮像装置１内に、必ずしも設ける必要はなく、例えば、ネットワーク上に設けられたサーバ等の記録部（図示せず）に送信して（図示せぬ通信部による）、記録するようにしてもよい。このようにネットワーク上に有れば、このネットワークにアクセス可能な他の機器での編集（合成）等が可能となる。
以上説明した撮像制御部（画像取得部）７２、特定画素抽出部７３、及び合成画像生成部７４は、本発明に係る画像処理装置としての機能を有する。
表示制御部７５は、表示部６の動作を制御し、所定の画像を表示部６に表示させる。
【００２０】
〔撮像装置の動作〕
次に、上述した撮像装置１の動作（本発明に係る画像処理方法）について説明する。
図２は、撮像装置１の動作を示すフローチャートである。
カメラユーザによる操作部５への起動操作によって撮像装置１の電源がオンになる（ステップＳ１：Ｙｅｓ）と、制御部７は、撮像装置１がどのカメラモードに設定されているかを判断する（ステップＳ２，Ｓ４）。
図３は、表示部６に表示されるメニュー画面ＭＷの一例を示す図である。
例えば、図３に示したメニュー画面ＭＷ上で、カメラユーザによる操作部（タッチパネル）５への操作により、第１操作アイコンＭ１の表示位置がタッチされた場合には、撮像装置１は、「再生モード」に設定される。また、カメラユーザによる操作部５への操作により、第２操作アイコンＭ２の表示位置がタッチされた場合には、撮像装置１は、「特定色相ＨＤＲモード」に設定される。
【００２１】
撮像装置１が「再生モード」に設定されていると判断した場合（ステップＳ２：Ｙｅｓ）には、制御部７は、記録部４に記録された画像データ（例えば、静止画用合成画像データ）に対応する画像を表示部６に表示させる再生モード処理を実行する（ステップＳ３）。この後、撮像装置１は、ステップＳ１に戻る。
一方、撮像装置１が「再生モード」に設定されていないと判断した場合（ステップＳ２：Ｎｏ）には、制御部７は、撮像装置１が「特定色相ＨＤＲモード」に設定されているか否かを判断する（ステップＳ４）。
【００２２】
撮像装置１が「特定色相ＨＤＲモード」に設定されていないと判断した場合（ステップＳ４：Ｎｏ）には、制御部７は、その他のカメラモードに対応した処理を実行する（ステップＳ５）。この後、撮像装置１は、ステップＳ１に戻る。
一方、撮像装置１が「特定色相ＨＤＲモード」に設定されていると判断した場合（ステップＳ４：Ｙｅｓ）には、制御部７は、特定の色相の範囲に関する特定色相情報を取得する（ステップＳ６）。そして、制御部７は、当該特定色相情報をメモリ部３に記憶する。
【００２３】
図４は、図３に示したメニュー画面ＭＷ上で第２操作アイコンＭ２（特定色相ＨＤＲモード）が選択された際に表示される色相選択画像ＣＳの一例を示す図である。
例えば、図３に示したメニュー画面ＭＷ上で、カメラユーザによる操作部５への操作により、第２操作アイコンＭ２の表示位置がタッチされた場合には、表示制御部７５は、図４に示す色相選択画像ＣＳを表示部６に表示させる。
なお、図４に示す例では、色相選択画像ＣＳは、色相を系統的に環状に並べた色相環で構成されている。
そして、図４に示す色相選択画像ＣＳ上で、カメラユーザによる操作部５への操作により、色相環の表示位置の一部がタッチされた場合には、制御部７は、ステップＳ６において、当該タッチされた色相環の表示位置の一部に対応する色相の範囲（例えば、タッチ位置の色相に対して±３０°の範囲）を特定色相情報として取得する。本発明では、このように、ユーザのこだわり部分の指定を可能としている。こうした指定結果は、画像合成時に、有効利用が可能であるから、メモリ等に記録しておいてもよい。このように特定の色相の指定を行う指定部は、色相環で指定することを特徴とする画像処理装置が提供できる。
【００２４】
ステップＳ６の後、露出設定部７１は、ＨＤＲ測光により、ＨＤＲ撮影（スルー画ＨＤＲ撮影、静止画ＨＤＲ撮影）で連写する際の露出値（ＥＶ）の範囲を設定する（ステップＳ７）。
続いて、撮像制御部７２は、以下に示すように、スルー画ＨＤＲ撮影を実行する（ステップＳ８：画像取得ステップ）。
先ず、撮像制御部７２は、ステップＳ７でのＨＤＲ測光により得られた各ライブビュー画像データに基づいて、スルー画ＨＤＲ撮影で連写する撮影枚数を算出する。
例えば、撮像制御部７２は、ＨＤＲ測光により得られた全てのライブビュー画像における全画素のうち、最小輝度値ＢＶminとなる画素、及び最大輝度値ＢＶmaxとなる画素を特定する。そして、撮像制御部７２は、以下の式（１）により、撮影枚数を算出する。
撮影枚数＝（ＢＶmax−ＢＶmin）／露出段差  ・・・（１）
ここで、式（１）中、露出段差は、スルー画ＨＤＲ撮影で連写する際に切り換える露出値（ＥＶ）の差（例えば、０．５ＥＶ）を意味する。
次に、撮像制御部７２は、駆動部２４を動作させ、露出値（ＥＶ）をステップＳ７で設定された範囲のうち最低となる露出値（ＥＶ）から露出段差（例えば、０．５ＥＶ）ずつ増加させながら、上記算出した撮影枚数だけ撮像部２に撮影（電子シャッタによる撮影）させる。
そして、撮像制御部７２は、当該撮影により得られた複数のスルー画ＨＤＲ用画像データを当該撮影時の露出値（ＥＶ）に関連付けてメモリ部３に記憶する。
【００２５】
ステップＳ８の後、制御部７は、メモリ部３に記憶された露出値（ＥＶ）の異なる複数（上述した撮影枚数）のスルー画ＨＤＲ用画像データを用いて、合成画像データ（スルー画用合成画像データ）を生成するスルー画用色相補正処理を実行する（ステップＳ９）。
なお、スルー画用色相補正処理（ステップＳ９）については、後述する。
続いて、表示制御部７５は、ステップＳ９で生成されたスルー画用合成画像データに対応するスルー画用合成画像を表示部６に表示させる（ステップＳ１０）。
【００２６】
ステップＳ１０の後、撮像制御部７２は、カメラユーザによる操作部５への撮影操作があったか否かを判断する（ステップＳ１１）。
撮影操作がないと判断された場合（ステップＳ１１：Ｎｏ）には、撮像装置１は、ステップＳ１に戻る。
一方、撮影操作があったと判断した場合（ステップＳ１１：Ｙｅｓ）には、撮像制御部７２は、以下に示すように、静止画ＨＤＲ撮影を実行する（ステップＳ１２：画像取得ステップ）。
【００２７】
先ず、撮像制御部７２は、ステップＳ８と同様に、静止画ＨＤＲ撮影で連写する撮影枚数を算出する（ステップＳ１２１）。
なお、静止画ＨＤＲ撮影での撮影枚数は、スルー画ＨＤＲ撮影での撮影枚数よりも多い枚数であってもよい。
【００２８】
ステップＳ１２１の後、撮像制御部７２は、駆動部２４を動作させ、露出値（ＥＶ）をステップＳ７で設定された範囲のうち最低となる露出値（ＥＶ）に設定する（ステップＳ１２２）。
続いて、撮像制御部７２は、撮像部２に被写体を撮影（メカシャッタ（シャッタ２３）による撮影）させる（ステップＳ１２３）。そして、撮像制御部７２は、当該撮影により得られた静止画ＨＤＲ用画像データを当該撮影時の露出値（ＥＶ）に関連付けてメモリ部３に記憶する。
続いて、撮像制御部７２は、ステップＳ１２１で算出した撮影枚数だけ撮像部２に被写体を撮影（メカシャッタ（シャッタ２３）による撮影）させたか（全枚数の撮影を完了したか）否かを判断する（ステップＳ１２４）。
【００２９】
全枚数の撮影を完了していないと判断した場合（ステップＳ１２４：Ｎｏ）には、撮像装置１は、ステップＳ１２２に戻る。そして、撮像装置１は、ステップＳ１２２で露出段差（例えば、０．５ＥＶ）だけ露出値（ＥＶ）を増加させ、ステップＳ１２３で当該露出値（ＥＶ）で撮像部２に被写体を撮影（メカシャッタ（シャッタ２３）による撮影）させる。
ステップＳ１２２〜Ｓ１２４を繰り返し実行した結果、全枚数の撮影を完了したと判断された場合（ステップＳ１２４：Ｙｅｓ）には、制御部７は、メモリ部３に記憶された露出値（ＥＶ）の異なる複数（上述した撮影枚数）の静止画ＨＤＲ用画像データを用いて、合成画像データ（静止画用合成画像データ）を生成する静止画用色相補正処理を実行する（ステップＳ１３）。
なお、メモリ部３に記録すると書いたが、このメモリ部３も、撮像装置１内に、必ずしも設ける必要はなく、例えば、ネットワーク上に設けられたサーバ等の記録部（図示せず）に送信して（図示せぬ通信部による）、記録するようにしてもよい。このようにネットワーク上に有れば、このネットワークにアクセス可能な他の機器での編集（合成）等が可能となる。なお、このように外部に複数の画像を送信してしまうと、これらの複数の画像が、特定の目的（ここではＨＤＲ合成）のための画像であることが分からなくなってしまう可能性があるので、各画像にその特定の目的である旨と、その素材である旨と、他にも関連する複数の残りの画像がある旨を、画像ファイルに記録しておき、当初想定していた機器以外でも簡単に検索して当該複数画像を集め、目的とする処理であることを分かるようにしておいた方がよい。もちろん、どのように合成するかを示す、ユーザの操作情報、こだわり色情報等も補助データとして画像ファイルに追記しておけば、この情報によって、撮影時の意図を反映させつつ、比較的容易に他の機器でのこだわり編集が可能となる。上記特定の色相の指定を行った時の情報を補助情報としてもよく、色相環で選択された範囲等がこれに相当する。色相でなくとも、色そのものの情報としてもよい。なお、表示部に順次表示される画像（スルー画、ライブビュー画像）を観察しながらユーザが指定可能なので、撮影時に試行錯誤した結果を反映できる。
なお、静止画用色相補正処理（ステップＳ１３）については、後述する。
【００３０】
ステップＳ１３の後、表示制御部７５は、ステップＳ１３で生成された静止画用合成画像データに対応する静止画用合成画像を表示部６に表示させる（ステップＳ１４）。この後、撮像装置１は、ステップＳ１に戻る。
【００３１】
〔色相補正処理（ステップＳ９，Ｓ１３）〕
図５は、色相補正処理（ステップＳ９，Ｓ１３）を示すフローチャートである。
なお、スルー画用色相補正処理（ステップＳ９）と静止画用色相補正処理（ステップＳ１３）とは、スルー画用色相補正処理では露出値（ＥＶ）の異なる複数のスルー画ＨＤＲ用画像データを用いるのに対し、静止画用色相補正処理では露出値（ＥＶ）の異なる複数の静止画ＨＤＲ用画像データを用いる点が異なる（用いる画像データが異なる）のみである。このため、以下では、静止画用色相補正処理（ステップＳ１３）について説明する。
【００３２】
先ず、特定画素抽出部７３は、メモリ部３に記憶された露出値（ＥＶ）の異なる複数の静止画ＨＤＲ用画像データから対象となる画素位置（以下、対象画素位置と記載）の各画素の画素データをそれぞれ取得する（ステップＳ１３１）。
続いて、特定画素抽出部７３は、当該対象画素位置における露出値（ＥＶ）の異なる複数の画素毎に、当該画素の画素データに基づいて、色相Ｈをそれぞれ算出する（ステップＳ１３２）。
【００３３】
ここで、例えば、ＨＳＶ色空間では、色相Ｈは、以下の式（２）〜（４）で算出することができる。以下では、説明の便宜上、第１，第２Ｇ信号を纏めてＧ信号としている。
なお、式（２）は、Ｒ，Ｇ，Ｂ信号のうち「Ｒ信号」の信号レベルが最も高い場合での色相Ｈである。式（３）は、Ｒ，Ｇ，Ｂ信号のうち「Ｇ信号」の信号レベルが最も高い場合での色相Ｈである。式（４）は、Ｒ，Ｇ，Ｂ信号のうち「Ｂ信号」の信号レベルが最も高い場合での色相Ｈである。式（２）〜（４）中、「Ｒ」はＲ信号の信号レベルであり、「Ｇ」はＧ信号の信号レベルであり、「Ｂ」はＢ信号の信号レベルである。また、「Ｍａｘ（ＲＧＢ）」は、Ｒ，Ｇ，Ｂ信号のうち最も高い信号レベルであり、「Ｍｉｎ（ＲＧＢ）」は、Ｒ，Ｇ，Ｂ信号のうち最も低い信号レベルである。
色相Ｈ＝({Ｇ−Ｂ}／{Ｍａｘ（ＲＧＢ）−Ｍｉｎ（ＲＧＢ）})×６０°・・・（２）
色相Ｈ＝({Ｂ−Ｒ}／{Ｍａｘ（ＲＧＢ）−Ｍｉｎ（ＲＧＢ）})×６０°＋１２０°
・・・（３）
色相Ｈ＝({Ｒ−Ｇ}／{Ｍａｘ（ＲＧＢ）−Ｍｉｎ（ＲＧＢ）})×６０°＋２４０°
・・・（４）
【００３４】
ステップＳ１３２の後、特定画素抽出部７３は、以下に示すように、色相選別処理を実行する（ステップＳ１３３：特定画素抽出ステップ）。
先ず、特定画素抽出部７３は、ステップＳ６でメモリ部３に記憶された特定色相情報を読み出し、当該特定色相情報に基づく特定の色相の範囲と、ステップＳ１３２で算出した各色相Ｈとをそれぞれ比較する。そして、特定画素抽出部７３は、対象画素位置における露出値（ＥＶ）の異なる複数の画素のうち少なくともいずれかの画素の色相Ｈが特定の色相の範囲内にあるか否かを判断する（ステップＳ１３３Ａ）。
【００３５】
対象画素位置における露出値（ＥＶ）の異なる複数の画素のうち少なくともいずれかの画素の色相Ｈが特定の色相の範囲内にあると判断した場合（ステップＳ１３３Ａ：Ｙｅｓ）には、特定画素抽出部７３は、当該対象画素位置における露出値（ＥＶ）の異なる複数の画素を特定画素とする。そして、特定画素抽出部７３は、当該対象画素位置における露出値（ＥＶ）の異なる複数の特定画素の各画素データに対して当該対象画素位置（座標値）及び当該各露出値（ＥＶ）をそれぞれ関連付けた複数の特定画像情報をメモリ部３に記憶する（ステップＳ１３３Ｂ）。
一方、対象画素位置における露出値（ＥＶ）の異なる複数の画素の全ての色相Ｈが特定の色相の範囲内にないと判断した場合（ステップＳ１３３Ａ：Ｎｏ）には、特定画素抽出部７３は、対象画素位置における露出値（ＥＶ）の異なる複数の画素のうち、適正露出（例えば、標準露出（ＥＶ＝０））で撮影された画素を非特定画素とする。そして、特定画素抽出部７３は、当該非特定画素の画素データに対して当該対象画素位置（座標値）を関連付けた非特定画像情報をメモリ部３に記憶する（ステップＳ１３３Ｃ）。
【００３６】
ステップＳ１３３ＢまたはステップＳ１３３Ｃの後、特定画素抽出部７３は、メモリ部３に記憶された露出値（ＥＶ）の異なる複数の静止画ＨＤＲ用画像データにおける全画素位置で色相選別処理（ステップＳ１３３Ａ〜Ｓ１３３Ｃ）を実行したか否かを判断する（ステップＳ１３４）。
全画素位置で色相選別処理を実行していないと判断した場合（ステップＳ１３４：Ｎｏ）には、特定画素抽出部７３は、対象画素位置を他の画素位置に切り替え（ステップＳ１３５）、ステップＳ１３１に戻る。
【００３７】
ステップＳ１３１〜Ｓ１３５が繰り返し実行された結果、全画素位置で色相選別処理を実行したと判断された場合（ステップＳ１３４：Ｙｅｓ）には、合成画像生成部７４は、ステップＳ１３３Ｂでメモリ部３に記憶された露出値（ＥＶ）及び画素位置の異なる複数の特定画像情報を用いて、以下に示すように、ＨＤＲ合成処理を実行する（ステップＳ１３６：合成画像生成ステップ）。
先ず、合成画像生成部７４は、メモリ部３に記憶された露出値（ＥＶ）及び画素位置の異なる複数の特定画像情報のうち、適正露出（例えば、標準露出（ＥＶ＝０））で撮影された一の画素位置における特定画像情報を読み出す（ステップＳ１３６Ａ）。
続いて、合成画像生成部７４は、当該特定画像情報（適正露出（例えば、標準露出（ＥＶ＝０））で撮影された特定画素の画素データ）に基づいて、当該特定画素が飽和画素（Ｒ信号、Ｂ信号、第１Ｇ信号、及び第２Ｇ信号の少なくともいずれかの信号レベルが飽和している画素）であるか否かを判断する（ステップＳ１３６Ｂ）。
【００３８】
図６Ａ及び図６Ｂは、ステップＳ１３６Ｂを説明する図である。具体的に、図６Ａ及び図６Ｂは、飽和画素におけるＲ，Ｇ，Ｂ信号毎の信号レベルを示すグラフである。なお、図６Ａ及び図６Ｂでは、説明の便宜上、第１，第２Ｇ信号を纏めてＧ信号としている。
例えば、合成画像生成部７４は、図６Ａに示すように、Ｒ，Ｇ，Ｂ信号の全ての信号レベルが飽和している（飽和レベルである）場合には、白とびしている飽和画素として特定する（ステップＳ１３６Ｂ：Ｙｅｓ）。また、合成画像生成部７４は、図６Ｂに示すように、Ｒ，Ｇ，Ｂ信号のいずれかの信号レベルが飽和している場合には、色とびしている飽和画素として特定する（ステップＳ１３６Ｂ：Ｙｅｓ）。
ここで、飽和レベルとは、例えば、Ｒ，Ｇ，Ｂ信号が８ビットの階調値で表現されている場合には、「２５５」の階調値を有するレベルを意味する。
【００３９】
一の画素位置における適正露出で撮影された特定画素が飽和画素であると判断した場合（ステップＳ１３６Ｂ：Ｙｅｓ）には、合成画像生成部７４は、メモリ部３から適正露出（例えば、標準露出（ＥＶ＝０））よりも大きい露出値（ＥＶ）で撮影された当該一の画素位置における複数の特定画像情報を読み出す。そして、合成画像生成部７４は、当該複数の特定画像情報に基づいて、当該一の画素位置における適正露出よりも大きい露出値（ＥＶ）で撮影された複数の特定画素のうち、飽和画素ではなく、かつ、適正露出に最も近い露出値（ＥＶ）で撮影された特定画素を合成用画素として選択する（ステップＳ１３６Ｃ）。
【００４０】
ステップＳ１３６Ｃの後、合成画像生成部７４は、当該選択した合成用画素（適正露出（例えば、標準露出（ＥＶ＝０）よりも大きい露出値（ＥＶ）で撮影された特定画素）の画素データに対して、適正露出で撮影された特定画素と明るさを合わせるために、露出補正（明るさを増加させる補正）を行う（ステップＳ１３６Ｄ）。すなわち、当該露出補正は、適正露出等の基準露出値以外の露出値で撮像された異露出画像データにおける特定画素の画素データを基準露出値で撮像された基準画像データの明るさに合わせるため、本発明に係る露出補正に相当する。そして、露出補正後の合成用画素の画素データは、当該合成用画素の画素位置（座標値）に関連付けられてメモリ部３に記憶される。
例えば、合成画像生成部７４は、ステップＳ１３６Ｄにおいて、以下の式（５）により、露出補正を行う。
露出補正後の信号レベル（明るさ）＝露出補正前の信号レベル（明るさ）×２ｎ
・・・（５）
なお、式（５）において、「ｎ」は、適正露出での露出値（ＥＶ）と合成用画素における露出値（ＥＶ）との露出段差を意味する。
【００４１】
一方、一の画素位置における適正露出で撮影された特定画素が飽和画素ではないと判断した場合（ステップＳ１３６Ｂ：Ｎｏ）には、合成画像生成部７４は、当該特定画素がノイズ画素（Ｒ信号、Ｂ信号、第１Ｇ信号、及び第２Ｇ信号の少なくともいずれかの信号レベルがノイズレベル未満である画素）であるか否かを判断する（ステップＳ１３６Ｅ）。
例えば、合成画像生成部７４は、Ｒ，Ｇ，Ｂ信号の全ての信号がノイズレベル（図６Ａ，図６Ｂ）である場合には、黒つぶれしているノイズ画素として特定する（ステップＳ１３６Ｅ：Ｙｅｓ）。また、合成画像生成部７４は、Ｒ，Ｇ，Ｂ信号のいずれかの信号レベルがノイズレベルである場合には、色つぶれしているノイズ画素として特定する（ステップＳ１３６Ｅ：Ｙｅｓ）。
【００４２】
一の画素位置における適正露出で撮影された特定画素がノイズ画素であると判断した場合（ステップＳ１３６Ｅ：Ｙｅｓ）には、合成画像生成部７４は、メモリ部３から適正露出（例えば、標準露出（ＥＶ＝０））よりも小さい露出値（ＥＶ）で撮影された当該一の画素位置における特定画像情報を読み出す。そして、合成画像生成部７４は、当該複数の特定画像情報に基づいて、当該一の画素位置における適正露出よりも小さい露出値（ＥＶ）で撮影された複数の特定画素のうち、ノイズ画素ではなく、かつ、適正露出に最も近い露出値（ＥＶ）で撮影された特定画素を合成用画素として選択する（ステップＳ１３６Ｆ）。
【００４３】
ステップＳ１３６Ｆの後、合成画像生成部７４は、ステップＳ１３６Ｄと同様に、当該選択した合成用画素（適正露出（例えば、標準露出（ＥＶ＝０）よりも小さい露出値（ＥＶ）で撮影された特定画素）の画素データに対して、適正露出で撮影された特定画素と明るさを合わせるために、露出補正（明るさを減少させる補正）を行う（ステップＳ１３６Ｇ）。すなわち、当該露出補正は、適正露出等の基準露出値以外の露出値で撮像された異露出画像データにおける特定画素の画素データを基準露出値で撮像された基準画像データの明るさに合わせるため、本発明に係る露出補正に相当する。そして、露出補正後の合成用画素の画素データは、当該合成用画素の画素位置（座標値）に関連付けられてメモリ部３に記憶される。
【００４４】
一方、一の画素位置における適正露出で撮影された特定画素がノイズ画素ではないと判断した場合（ステップＳ１３６Ｅ：Ｎｏ）には、合成画像生成部７４は、当該適正露出で撮影された特定画素を合成用画素として選択する（ステップＳ１３６Ｈ）。そして、選択された合成用画素の画素データは、当該合成用画素の画素位置（座標値）に関連付けられてメモリ部３に記憶される。
【００４５】
ステップＳ１３６Ｄ、ステップＳ１３６Ｇ、またはステップＳ１３６Ｈの後、合成画像生成部７４は、メモリ部３に記憶された露出値（ＥＶ）及び画素位置の異なる複数の特定画像情報における全画素位置でステップＳ１３６Ａ〜Ｓ１３６Ｈを実行したか（全画素位置で実行したか）否かを判断する（ステップＳ１３６Ｉ）。
全画素位置で実行していないと判断した場合（ステップＳ１３６Ｉ：Ｎｏ）には、合成画像生成部７４は、画素位置を他の画素位置に切り替え（ステップＳ１３６Ｊ）、ステップＳ１３６Ａに戻る。
【００４６】
ステップＳ１３６Ａ〜Ｓ１３６Ｊを繰り返し実行した結果、全画素位置で実行したと判断した場合（ステップＳ１３６Ｉ：Ｙｅｓ）には、合成画像生成部７４は、メモリ部３に記憶された全ての合成用画素の画素データ、及び非特定画像情報（非特定画素の画素データ）により、静止画用合成画像データを生成する（ステップＳ１３７：合成画像生成ステップ）。そして、当該静止画用合成画像データは、記録部４に記録される。なお、スルー画用色相補正処理（ステップＳ９）の場合には、生成されたスルー画用合成画像データは、メモリ部３に記憶される。この後、撮像装置１は、図２に示したフローに戻る。
【００４７】
以上説明した本実施の形態１に係る撮像装置１は、同一の被写体を撮像して得られた複数のＨＤＲ用画像データを取得し（ステップＳ８，Ｓ１２）、当該複数のＨＤＲ用画像データ毎に色相選別処理により特定の色相の範囲内にある色相を有する特定画素を抽出する（ステップＳ１３３）。そして、撮像装置１は、ＨＤＲ合成処理により当該複数のＨＤＲ用画像データにおける特定画素のうち対応する画素同士から一の特定画素を選択し（ステップＳ１３６）、当該選択した特定画素と、抽出しなかった非特定画素とにより合成画像データを生成する（ステップＳ１３７）。
したがって、本実施の形態１に係る撮像装置１によれば、特定の色相の範囲内にある色相を有する画素のみについてＨＤＲ合成を行うことができ、ユーザの好みに応じた趣向性の高い合成画像データを生成することができる、という効果を奏する。
例えば、時間とともに状態が変化する川等を背景に紅葉等を被写体として撮影を行った場合において、従来と同様にＨＤＲ撮影を行った場合には背景である川等の状態が変化するために当該背景が像ブレしてしまうところ、本実施の形態１に係る撮像装置１によれば、特定の色相の範囲内にある紅葉等の被写体のみについてＨＤＲ合成を行うことができるため、背景に像ブレのない鮮明な合成画像データを生成することができる。
【００４８】
また、本実施の形態１に係る撮像装置１は、ＨＤＲ合成処理（ステップＳ１３６）において、複数のＨＤＲ用画像データにおける特定画素のうち対応する画素同士から、飽和画素及びノイズ画素ではない一の特定画素を選択する。
このため、白とび、色とび、黒つぶれ、及び色つぶれ等の階調の損失のない自然な合成画像データを生成することができる。
【００４９】
また、本実施の形態１に係る撮像装置１は、ＨＤＲ合成処理（ステップＳ１３６）において、適正露出等の基準露出値以外の露出値で撮像された異露出画像データにおける特定画素を選択した場合には、当該特定画素の画素データに対して、適正露出等の基準画像データの明るさに合わせるように、露出補正を行う（ステップＳ１３６Ｄ，Ｓ１３６Ｇ）。
このため、適正露出等の基準画像データの明るさに合わせた合成画像データを生成することができる。
【００５０】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２に係る撮像装置は、上述した実施の形態１で説明した撮像装置１（図１）に対して、ユーザ操作に応じて合成画像のダイナミックレンジを調整可能とする点が異なる。
本実施の形態２に係る撮像装置は、上述した実施の形態１で説明した撮像装置１（図１）と同様の構成である。
以下、本実施の形態２に係る撮像装置の動作について説明する。
【００５１】
〔撮像装置の動作〕
図７は、本発明の実施の形態２に係る撮像装置１の動作を示すフローチャートである。
本実施の形態２に係る撮像装置１の動作は、図７に示すように、上述した実施の形態１で説明した動作（図２，図５）に対して、ステップＳ９，Ｓ１３の代わりにステップＳ１５，Ｓ１６を採用するとともに、ステップＳ１７，Ｓ１８を追加した点が異なるのみである。このため、以下では、ステップＳ１５〜Ｓ１８のみを説明する。
【００５２】
〔ヒストグラム表示処理（ステップＳ１７）〕
ヒストグラム表示処理（ステップＳ１７）は、ステップＳ１０の後に実行される。
図８は、ヒストグラム表示処理（ステップＳ１７）を示すフローチャートである。
先ず、特定画素抽出部７３は、スルー画用色相補正処理（ステップＳ１５）で生成され、メモリ部３に記憶されたスルー画用合成画像データから対象画素位置における画素の画素データを取得する（ステップＳ１７１）。
続いて、特定画素抽出部７３は、上述した実施の形態１で説明したステップＳ１３２と同様に、当該対象画素位置における画素の画素データに基づいて、色相Ｈを算出する（ステップＳ１７２）。
続いて、特定画素抽出部７３は、ステップＳ６でメモリ部３に記憶された特定色相情報を読み出し、当該特定色相情報に基づく特定の色相の範囲と、ステップＳ１７２で算出した色相Ｈとを比較する。そして、特定画素抽出部７３は、対象画素位置における画素の色相Ｈが特定の色相の範囲内にあるか否かを判断する（ステップＳ１７３）。
【００５３】
対象画素位置における画素の色相Ｈが特定の色相の範囲内にあると判断した場合（ステップＳ１７３：Ｙｅｓ）には、特定画素抽出部７３は、当該対象画素位置における画素を特定画素とする。そして、特定画素抽出部７３は、当該対象画素位置における特定画素の画素データに対して当該対象画素位置（座標値）を関連付けた特定色相ヒストグラム情報をメモリ部３に記憶する（ステップＳ１７４）。
一方、対象画素位置における画素の色相Ｈが特定の色相の範囲内にないと判断した場合（ステップＳ１７３：Ｎｏ）には、特定画素抽出部７３は、当該対象画素位置における画素を非特定画素とする。そして、特定画素抽出部７３は、当該対象画素位置における非特定画素の画素データに対して当該対象画素位置（座標値）を関連付けた非特定色相ヒストグラム情報をメモリ部３に記憶する（ステップＳ１７５）。
【００５４】
ステップＳ１７４またはステップＳ１７５の後、特定画素抽出部７３は、メモリ部３に記憶されたスルー画ＨＤＲ画像データにおける全画素位置でステップＳ１７１〜Ｓ１７５を実行したか（全画素位置で実行したか）否かを判断する（ステップＳ１７６）。
全画素位置で実行していないと判断した場合（ステップＳ１７６：Ｎｏ）には、特定画素抽出部７３は、対象画素位置を他の画素位置に切り替え（ステップＳ１７７）、ステップＳ１７１に戻る。
【００５５】
ステップＳ１７１〜Ｓ１７７が繰り返し実行された結果、全画素位置で実行したと判断された場合（ステップＳ１７６：Ｙｅｓ）には、表示制御部７５は、ステップＳ１０で表示させたスルー画用合成画像に対して、スルー画用合成画像データにおける特定画素のヒストグラム、及び非特定画素のヒストグラムを重畳した重畳画像を表示するヒストグラム表示を実行する（ステップＳ１７８）。この後、撮像装置１は、図７に示したフローに戻る。
図９は、ヒストグラム表示（ステップＳ１７８）で表示部６に表示される重畳画像ＳＦの一例を示す図である。
具体的に、表示制御部７５は、ステップＳ１７８において、ステップＳ１７４でメモリ部３に記憶された画素位置の異なる複数の特定色相ヒストグラム情報を読み出し、スルー画用合成画像データにおける特定画素のヒストグラム（特定画素の信号レベル（輝度）の分布状況を示す統計グラフ）を生成する。同様に、表示制御部７５は、ステップＳ１７５でメモリ部３に記憶された画素位置の異なる複数の非特定色相ヒストグラム情報を読み出し、スルー画用合成画像データにおける非特定画素のヒストグラム（非特定画素の信号レベル（輝度）の分布状況を示す統計グラフ）を生成する。そして、表示制御部７５は、ステップＳ１０で表示させたスルー画用合成画像（図９の例ではジョッキに注がれたビールを被写体としたスルー画用合成画像ＴＣＦ）に対して、当該特定画素のヒストグラム（図９の例ではビールの色相（黄色）を有する特定画素のヒストグラムＨ１）及び当該非特定画素のヒストグラム（図９の例ではビールの色相以外の色相を有する非特定画素のヒストグラムＨ２）を重畳した重畳画像（図９の例では重畳画像ＳＦ）を表示部６に表示させる。
【００５６】
なお、図９に示すヒストグラムＨ１において、横軸は、特定画素の信号レベル（輝度）であり、縦軸は、特定画素の画素数である。同様に、図９に示すヒストグラムＨ２において、横軸は、非特定画素の信号レベル（輝度）であり、縦軸は、非特定画素の画素数である。また、図９に示すヒストグラムＨ１，Ｈ２において、破線は、撮像素子２５のダイナミックレンジを示している。すなわち、ヒストグラムＨ１，Ｈ２において、右側の破線よりも右側の信号レベル（輝度）である特定画素または非特定画素は飽和画素であり、左側の破線よりも左側の信号レベル（輝度）である特定画素または非特定画素はノイズ画素である。
すなわち、本実施の形態２に係る表示制御部７５は、本発明に係るヒストグラム生成部としての機能を有する。
【００５７】
〔ヒストグラム調整処理（ステップＳ１８）〕
ヒストグラム調整処理（ステップＳ１８）は、ステップＳ１７の後に実行される。
図１０は、ヒストグラム調整処理（ステップＳ１８）を示すフローチャートである。図１１、及び図１２Ａ〜図１２Ｃは、ヒストグラム調整処理（ステップＳ１８）を説明する図である。
具体的に、図１２Ａ〜図１２Ｃは、図９に示したヒストグラムＨ１（Ｈ２）に対応した図である。また、図１２Ａ〜図１２Ｃに示したヒストグラムＨ１（Ｈ２）において、一点鎖線は、後述する伸張操作（図１２Ａ）、圧縮操作（図１２Ｂ）、またはシフト操作（図１２Ｃ）が行われる前の特定画素（非特定画素）の信号レベル（輝度）の分布状況を示している。
先ず、表示制御部７５は、ステップＳ１７で重畳画像を表示している際に、カメラユーザによる操作部５への操作により、特定画素のヒストグラムが選択（例えば、操作部（タッチパネル）５上で、重畳画像ＳＦ（図９）における特定画素のヒストグラムＨ１（図９）の表示位置がタッチ）されたか否かを判断する（ステップＳ１８１）。
【００５８】
特定画素のヒストグラムが選択されたと判断した場合（ステップＳ１８１：Ｙｅｓ）には、表示制御部７５は、カメラユーザに対して当該特定画素のヒストグラムの調整操作（伸張操作、圧縮操作、シフト操作）を促す表示を行う（ステップＳ１８２）。
例えば、表示制御部７５は、ステップＳ１８２において、図１１に示すように、重畳画像ＳＦにおける非特定画素のヒストグラムＨ２を縮小するとともに特定画素のヒストグラムＨ１を拡大する。すなわち、表示制御部７５は、特定画素のヒストグラムＨ１を拡大表示することで、カメラユーザに対して特定画素のヒストグラムＨ１の調整操作（伸張操作、圧縮操作、シフト操作）を促す。
【００５９】
ステップＳ１８２の後、表示制御部７５は、カメラユーザによる特定画素のヒストグラムの伸張操作（図１２Ａの例では、操作部（タッチパネル）５へのピンチ操作により、特定画素のダイナミックレンジを伸張（信号レベル（輝度）の最小値から最大値の中心となる信号レベル（輝度）は固定）する操作）または圧縮操作（図１２Ｂの例では、操作部（タッチパネル）５へのピンチ操作により、特定画素のダイナミックレンジを圧縮（信号レベル（輝度）の最小値から最大値の中心となる信号レベル（輝度）は固定）する操作）があったか否かを判断する（ステップＳ１８３）。
伸張操作または圧縮操作があったと判断した場合（ステップＳ１８３：Ｙｅｓ）には、表示制御部７５は、当該操作に応じた特定画素のダイナミックレンジの圧縮比（図１２Ａの例では圧縮比：２（２００％）、図１２Ｂの例では圧縮比：０．５（５０％））をメモリ部３に記憶する（ステップＳ１８４）。
一方、伸張操作または圧縮操作がないと判断した場合（ステップＳ１８３：Ｎｏ）には、表示制御部７５は、カメラユーザによる特定画素のヒストグラムのシフト操作（図１２Ｃの例では、操作部（タッチパネル）５へのドラッグ操作により、特定画素の信号レベル（輝度）の度数（画素数）を維持した状態で信号レベル（輝度）をシフトする操作）があったか否かを判断する（ステップＳ１８５）。なお、ステップＳ１８４の後にも、ステップＳ１８５が実行される。
【００６０】
シフト操作があったと判断した場合（ステップＳ１８５：Ｙｅｓ）には、表示制御部７５は、当該シフト操作に応じた特定画素の信号レベル（輝度）のシフト量をメモリ部３に記憶する（ステップＳ１８６）。
【００６１】
特定画素のヒストグラムが選択されていないと判断した場合（ステップＳ１８１：Ｎｏ）、シフト操作がないと判断した場合（ステップＳ１８５：Ｎｏ）、または、ステップＳ１８６の後、表示制御部７５は、カメラユーザによる操作部５への操作により、非特定画素のヒストグラムが選択（例えば、操作部（タッチパネル）５上で、重畳画像ＳＦ（図９）における非特定画素のヒストグラムＨ２（図９）の表示位置がタッチ）されたか否かを判断する（ステップＳ１８７）。
【００６２】
非特定画素のヒストグラムが選択されたと判断した場合（ステップＳ１８７：Ｙｅｓ）には、ステップＳ１８２と同様に、表示制御部７５は、カメラユーザに対して当該非特定画素のヒストグラムの調整操作（伸張操作、圧縮操作、シフト操作）を促す表示を行う（ステップＳ１８８）。
例えば、表示制御部７５は、ステップＳ１８８において、図１１に示した表示とは逆に、重畳画像ＳＦにおける特定画素のヒストグラムＨ１を縮小するとともに非特定画素のヒストグラムＨ２を拡大する。すなわち、表示制御部７５は、非特定画素のヒストグラムＨ２を拡大表示することで、カメラユーザに対して非特定画素のヒストグラムＨ２の調整操作（伸張操作、圧縮操作、シフト操作）を促す。
【００６３】
ステップＳ１８８の後、表示制御部７５は、ステップＳ１８３と同様に、カメラユーザによる非特定画素のヒストグラムの伸張操作または圧縮操作があったか否かを判断する（ステップＳ１８９）。
伸張操作または圧縮操作があったと判断した場合（ステップＳ１８９：Ｙｅｓ）には、表示制御部７５は、当該操作に応じた非特定画素のダイナミックレンジの圧縮比をメモリ部３に記憶する（ステップＳ１９０）。
一方、伸張操作または圧縮操作がないと判断した場合（ステップＳ１８９：Ｎｏ）には、表示制御部７５は、ステップＳ１８５と同様に、カメラユーザによる非特定画素のヒストグラムのシフト操作があったか否かを判断する（ステップＳ１９１）。なお、ステップＳ１９０の後にも、ステップＳ１９１が実行される。
【００６４】
シフト操作があったと判断した場合（ステップＳ１９１：Ｙｅｓ）には、表示制御部７５は、当該シフト操作に応じた非特定画素の信号レベル（輝度）のシフト量をメモリ部３に記憶する（ステップＳ１９２）。
非特定画素のヒストグラムが選択されていないと判断された場合（ステップＳ１８７：Ｎｏ）、シフト操作がないと判断された場合（ステップＳ１９１：Ｎｏ）、または、ステップＳ１９２の後、撮像装置１は、図７に示したフローに戻る。このように、特定の色相の指定を行う指定部は、ヒストグラムで指定することを特徴とする画像処理装置となる。
【００６５】
〔色相補正処理（ステップＳ１５，Ｓ１６）〕
図１３は、色相補正処理（ステップＳ１５，Ｓ１６）を示すフローチャートである。
なお、スルー画用色相補正処理（ステップＳ１５）と静止画用色相補正処理（ステップＳ１６）とは、上述した実施の形態１で説明した色相補正処理（ステップＳ９，Ｓ１３）と同様に、用いる画像データが異なるのみである。このため、以下では、静止画用色相補正処理（ステップＳ１６）について説明する。
【００６６】
先ず、特定画素抽出部７３は、上述した実施の形態１で説明した静止画用色相補正処理（ステップＳ１３）と同様に、ステップＳ１３１，Ｓ１３２を実行する。
ステップＳ１３２の後、特定画素抽出部７３は、以下に示すように、色相選別処理を実行する（ステップＳ１６１：特定画素抽出ステップ）。
先ず、特定画素抽出部７３は、上述した実施の形態１で説明した色相選別処理（ステップＳ１３３）と同様に、ステップＳ１３３Ａ，Ｓ１３３Ｂを実行する。
対象画素位置における露出値（ＥＶ）の異なる複数の画素の全ての色相Ｈが特定の色相の範囲内にないと判断した場合（ステップＳ１３３Ａ：Ｎｏ）には、特定画素抽出部７３は、当該対象画素位置における露出値（ＥＶ）の異なる複数の画素を非特定画素とする。そして、特定画素抽出部７３は、当該対象画素位置における露出値（ＥＶ）の異なる複数の非特定画素の各画素データに対して当該対象画素位置（座標値）及び当該各露出値（ＥＶ）をそれぞれ関連付けた複数の非特定画像情報をメモリ部３に記憶する（ステップＳ１６１Ａ）。
【００６７】
ステップＳ１３３ＢまたはステップＳ１６１Ａの後、特定画素抽出部７３は、上述した実施の形態１で説明した色相選別処理（ステップＳ１３３）と同様に、対象画素位置を他の画素位置に切り替えながら（ステップＳ１３５）、メモリ部３に記憶された露出値（ＥＶ）の異なる複数の静止画用ＨＤＲ用画像データにおける全画素位置で色相選別処理（ステップＳ１３３Ａ，Ｓ１３３Ｂ，Ｓ１６１Ａ）を実行する（ステップＳ１３４：Ｙｅｓ）。
なお、メモリ部３に記録すると書いたが、このメモリ部３は、撮像装置１内に、必ずしも設ける必要はなく、例えば、ネットワーク上に設けられたサーバ等の記録部（図示せず）に送信して（図示せぬ通信部による）、記録するようにしてもよい。このようにネットワーク上に有れば、このネットワークにアクセス可能な他の機器での編集（合成）等が可能となる。なお、このように外部に複数の画像を送信してしまうと、これらの複数の画像が、特定の目的（ここではＨＤＲ合成）のための画像であることが分からなくなってしまう可能性があるので、各画像にその特定の目的である旨と、その素材である旨と、他にも関連する複数の残りの画像がある旨を、画像ファイルに記録しておき、当初想定していた機器以外でも簡単に検索して当該複数画像を集め、目的とする処理であることを分かるようにしておいた方がよい。もちろん、どのように合成するかを示す、ユーザの操作情報、こだわり色情報等も補助データとして画像ファイルに追記しておけば、この情報によって、撮影時の意図を反映させつつ、比較的容易に他の機器でのこだわり編集が可能となる。上記特定の色相の指定を行った時の情報を補助情報としてもよく、ここでは、ユーザが指定したヒストグラム情報（画像の明るさの分布のさせ方）等がこれに相当する。表示部に順次表示される画像（スルー画、ライブビュー画像）を観察しながらユーザが指定可能なので、撮影時に試行錯誤した結果を反映できる。
【００６８】
全画素位置で色相選別処理を実行したと判断された場合（ステップＳ１３４：Ｙｅｓ）には、合成画像生成部７４は、ステップＳ１３３Ｂでメモリ部３に記憶された露出値（ＥＶ）及び画素位置の異なる複数の特定画像情報を用いて、対応する画素同士から一の特定画素を選択する特定色相ＨＤＲ合成処理を実行する（ステップＳ１６２：合成画像生成ステップ）。
また、合成画像生成部７４は、ステップＳ１６１Ａでメモリ部３に記憶された露出値（ＥＶ）及び画素位置の異なる複数の非特定画像情報を用いて、対応する画素同士から一の非特定画素を選択する非特定色相ＨＤＲ合成処理を実行する（ステップＳ１６３）。
【００６９】
図１４は、ＨＤＲ合成処理（ステップＳ１６２，Ｓ１６３）を示すフローチャートである。
なお、特定色相ＨＤＲ合成処理（ステップＳ１６２）と非特定色相ＨＤＲ合成処理（ステップＳ１６３）とは、特定色相ＨＤＲ合成処理では露出値（ＥＶ）及び画素位置の異なる複数の特定画像情報を用いるのに対し、非特定色相ＨＤＲ合成処理では露出値（ＥＶ）及び画素位置の異なる複数の非特定画像情報を用いる点が異なる（用いる情報が異なる）のみである。このため、以下では、特定色相ＨＤＲ合成処理（ステップＳ１６２）について説明する。
【００７０】
先ず、合成画像生成部７４は、ステップＳ１８６でメモリ部３に記憶された特定画素の信号レベル（輝度）のシフト量を読み出す（ステップＳ１６２Ａ）。
なお、ステップＳ１８５でシフト操作がないと判断された場合（ステップＳ１８５：Ｎｏ）には、当該シフト量は、「０」である。
続いて、合成画像生成部７４は、ステップＳ１８４でメモリ部３に記憶された特定画素のダイナミックレンジの圧縮比（図１２Ａの例では圧縮比：２（２００％）、図１２Ｂの例では圧縮比：０．５（５０％））を読み出す（ステップＳ１６２Ｂ）。
なお、ステップＳ１８３で伸張操作または圧縮操作がないと判断された場合（ステップＳ１８３：Ｎｏ）には、当該圧縮比は、「１（１００％）」である。
【００７１】
ステップＳ１６２Ｂの後、合成画像生成部７４は、上述した実施の形態１で説明したＨＤＲ合成処理（ステップＳ１３６）と同様に、ステップＳ１３６Ａ〜Ｓ１３６Ｈを実行する。
ステップＳ１３６Ｄ、ステップＳ１３６Ｇ、またはステップＳ１３６Ｈの後、合成画像生成部７４は、当該選択した合成用画素の画素データに対して、ステップＳ１６２Ａで読み出したシフト量だけ信号レベル（輝度）をシフトさせる露出補正処理を実行する（ステップＳ１６２Ｃ）。
続いて、合成画像生成部７４は、露出補正処理（ステップＳ１６２Ｃ）を実行した後の合成用画素の画素データに対して、ステップＳ１６２Ｂで読み出した圧縮比を用いて、当該合成用画素の階調圧縮・伸張処理を実行する（ステップＳ１６２Ｄ）。そして、露出補正処理（ステップＳ１６２Ｃ）及び階調圧縮・伸張処理（ステップＳ１６２Ｄ）後の合成用画素の画素データは、当該合成用画素の画素位置（座標値）に関連付けられてメモリ部３に記憶される。
例えば、合成画像生成部７４は、ステップＳ１６２Ｄにおいて、以下の式（６）により、階調圧縮・伸張処理を実行する。
階調圧縮・伸張処理後の信号レベル（輝度）＝階調圧縮・伸張処理前の信号レベル（輝度）＋（基準信号レベル（基準輝度）−階調圧縮・伸張処理前の信号レベル（輝度）×（１−圧縮比）  ・・・（６）
ここで、式（６）中、基準信号レベル（基準輝度）は、信号レベル（輝度）の最小値から最大値の中心となる信号レベル（輝度）を、露出補正処理（ステップＳ１６２Ｃ）によりステップＳ１６２Ａで読み出したシフト量だけ信号レベル（輝度）をシフトさせた信号レベル（輝度）を意味する。
【００７２】
ステップＳ１６２Ｄの後、合成画像生成部７４は、メモリ部３に記憶された露出値（ＥＶ）及び画素位置の異なる複数の特定画像情報における全画素位置でステップＳ１３６Ａ〜Ｓ１３６Ｈ，Ｓ１６２Ｃ，Ｓ１６２Ｄを実行したか（全画素位置で実行したか）否かを判断する（ステップＳ１６２Ｅ）。
全画素位置で実行していないと判断した場合（ステップＳ１６２Ｅ：Ｎｏ）には、合成画像生成部７４は、画素位置を他の画素位置に切り替え（ステップＳ１６２Ｆ）、ステップＳ１３６Ａに戻る。
ステップＳ１３６Ａ〜Ｓ１３６Ｈ，Ｓ１６２Ｃ〜Ｓ１６２Ｆを繰り返し実行した結果、全画素位置で実行したと判断された場合（ステップＳ１６２Ｅ：Ｙｅｓ）には、撮像装置１は、図１３に示したフローに戻る。
【００７３】
ステップＳ１６２，Ｓ１６３の後、合成画像生成部７４は、メモリ部３に記憶された全ての合成用画素（特定画素、非特定画素）の画素データにより、静止画用合成画像データを生成する（ステップＳ１６４：合成画像生成ステップ）。そして、当該静止画用合成画像データは、記録部４に記録される。なお、スルー画用色相補正処理（ステップＳ１５）の場合には、生成されたスルー画用合成画像データは、メモリ部３に記憶される。この後、撮像装置１は、図７に示したフローに戻る。
【００７４】
以上説明した本実施の形態２に係る撮像装置１によれば、上述した実施の形態１と同様の効果の他、以下の効果を奏する。
本実施の形態２に係る撮像装置１は、ヒストグラム表示処理により特定画素のヒストグラムや非特定画素のヒストグラムを表示し（ステップＳ１７）、ヒストグラム調整処理により当該特定画素のヒストグラムや非特定画素のヒストグラムの調整操作（伸張操作、圧縮操作、シフト操作）をユーザに促す（ステップＳ１８）。そして、撮像装置１は、当該調整操作に応じて、特定画素や非特定画素のダイナミックレンジを圧縮するとともに、特定画素や非特定画素の信号レベルをシフトさせた合成画像データを生成する（ステップＳ１５，Ｓ１６）。
したがって、本実施の形態２に係る撮像装置１によれば、ユーザの好みに応じた趣向性の高い合成画像データをより好適に生成することができる。
【００７５】
（その他の実施の形態）
ここまで、本発明を実施するための形態を説明してきたが、本発明は上述した実施の形態１，２によってのみ限定されるべきものではない。
上述した実施の形態１，２では、本発明に係る画像処理装置を撮像装置に採用していたが、これに限られず、例えば、被検体内部を撮像する内視鏡装置等に採用しても構わない。そして、本発明に係る画像処理装置を内視鏡装置に採用する場合には、露出値（ＥＶ）を変更しながら撮像するのではなく、被検体内部に照射する光の光量を調整（調光）しながら被検体内部を撮像し、当該撮像により得られた複数の画像データを上述した実施の形態１，２で説明した処理により合成（ＨＤＲ合成）すればよい。
【００７６】
上述した実施の形態１，２では、露出値（ＥＶ）を変えながら同一の被写体を連写することにより得られた複数のＨＤＲ用画像データを合成していたが、これに限られない。例えば、同一の被写体を同一の露出値（ＥＶ）でかつ所定の時間を空けて複数回、撮像することにより得られた複数の画像データを上述した実施の形態１，２で説明した処理により合成（ＨＤＲ合成）しても構わない。
前述のように、複数のデータをネットワークで繋がれた他の機器に記録してもよく、図示せぬ通信部によって該当画像を送信し、サーバ等に記録するようにしてもよい。このようにネットワーク上に有れば、このネットワークにアクセス可能な他の機器での編集（合成）等が可能となる。なお、このように外部に複数の画像を送信してしまうと、これらの複数の画像が、ＨＤＲ等、特定の強調画像処理のための画像であることが分からなくなってしまう可能性があるので、各画像にその特定の目的である旨と、その素材である旨と、他にも関連する複数の残りの画像がある旨を、画像ファイルに記録しておき、当初想定していた機器以外でも簡単に検索して当該複数画像を集め、目的とする処理であることを分かるようにしておいた方がよい。もちろん、どのように合成するかを示す、ユーザの操作情報、こだわり色情報等も補助データとして画像ファイルに追記しておけば、この情報によって、撮影時の意図を反映させつつ、比較的容易に他の機器でのこだわり編集が可能となる。下記に示すユーザのタッチした対象物の情報（タッチ座標でもよい）、前述の特定画像情報や非特定画像情報、色相選別処理結果情報等がこれに相当する。ここでは、特に、選択した領域を際立たせる技術について注力して記述したが、ユーザが指定した特定の色や領域の派手さや目立ち具合等の画像効果を抑える技術にも利用できることは言うまでもない。こうした補助データ（タグ）は、表示部に順次表示される画像（スルー画、ライブビュー画像）を観察しながらユーザが指定した結果を反映可能なので、撮影時の趣向を反映した処理が可能となる。このように他の機器が利用できる環境下に画像を保存しておくと、特定の撮影装置や端末にこだわらず、より高度な演算で、高速かつ、より正確な画像表現が可能となる。つまり、このような工夫によって、記録部に記録された画像データを取得して、上記画像データの有する補助情報から、ユーザが指定した画像の特徴情報と、関連する画像データを判定して、上記特徴情報に従った画像データの特定抽出領域をＨＤＲ合成処理し、当該特定抽出領域以外との合成画像データを生成することによってユーザが強調したい特徴を強調した合成画像を生成することが可能となる。
【００７７】
図１５は、本発明の実施の形態１，２の変形例を示す図である。
上述した実施の形態１，２では、色相環で構成された色相選択画像ＣＳ（図４）を表示し、カメラユーザに対して特定の色相の範囲を選択させていたが、これに限られない。例えば、図１５に示すように、ライブビュー画像Ｗ１００を表示している際に、カメラユーザによる操作部（タッチパネル）５へのタッチ操作により、タッチされた位置に表示されている画素の色相の範囲（例えば、タッチ位置の画素の色相に対して±３０°の範囲）を特定の色相の範囲として設定しても構わない。また、タッチされた領域Ａｒに複数の画素が表示されている場合には、当該複数の画素における色相の分布状況を考慮し、最も多い画素数となる色相に応じて特定の色相の範囲（例えば、当該最も多い画素数となる色相に対して±３０°の範囲）を設定しても構わない。このように、上記特定の色相の指定を行う指定部は、画像の領域で指定することを特徴とする画像処理装置となる。
【００７８】
また、処理フローは、上述した実施の形態１，２で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【００７９】
本実施の形態１，２に開示されている構成要素の適宜な組み合わせにより、種々の発明で形成ができる。そして、本実施の形態１，２には、以下に示す付記項１〜１０の発明が含まれるものである。
[付記項１]
同一の被写体を撮像して得られた複数の画像データを取得する画像取得部と、
前記複数の画像データ毎に、特定の色相の範囲内にある色相を有する特定画素を抽出する特定画素抽出部と、
ＨＤＲ合成処理により前記複数の画像データにおける前記特定画素のうち対応する画素同士から一の特定画素を選択し、当該選択した特定画素と、前記特定画素抽出部にて抽出されなかった非特定画素とにより構成された合成画像データを生成する合成画像生成部とを備える
ことを特徴とする画像処理装置。
[付記項２]
前記合成画像生成部は、
前記複数の画像データにおける前記特定画素のうち対応する画素同士から、当該特定画素の信号レベルが飽和していない特定画素を選択する
ことを特徴とする付記項１に記載の画像処理装置。
[付記項３]
前記合成画像生成部は、
前記複数の画像データにおける前記特定画素のうち対応する画素同士から、当該特定画素の信号レベルがノイズレベルでない特定画素を選択する
ことを特徴とする付記項１または２に記載の画像処理装置。
[付記項４]
前記複数の画像データは、
基準露出値で撮像された基準画像データと、前記基準露出値以外の露出値で撮像された異露出画像データとを含み、
前記合成画像生成部は、
前記基準画像データ及び前記異露出画像データにおける前記特定画素のうち対応する画素同士から前記異露出画像データにおける特定画素を選択した場合には、当該特定画素の画素データに対して、前記基準画像データの明るさに合わせるように、露出補正を行う
ことを特徴とする付記項１〜３のいずれか一つに記載の画像処理装置。
[付記項５]
画像を表示する表示部と、
前記特定画素抽出部にて抽出された特定画素の信号レベルに基づいて、当該特定画素のヒストグラムを前記表示部に表示させる表示制御部とを備える
ことを特徴とする付記項１〜４のいずれか一つに記載の画像処理装置。
[付記項６]
画像を表示する表示部と、
前記特定画素抽出部にて抽出されなかった非特定画素の信号レベルに基づいて、当該非特定画素のヒストグラムを前記表示部に表示させる表示制御部とを備える
ことを特徴とする付記項１〜５のいずれか一つに記載の画像処理装置。
[付記項７]
前記ヒストグラムにおける前記特定画素または前記非特定画素の信号レベルのダイナミックレンジを圧縮または伸張するユーザ操作を受け付ける操作受付部を備え、
前記合成画像生成部は、
前記操作受付部にて受け付けた前記ユーザ操作に基づいて、前記特定画素または前記非特定画素の信号レベルを調整する
ことを特徴とする付記項５または６に記載の画像処理装置。
[付記項８]
前記ヒストグラムにおける前記特定画素または前記非特定画素の信号レベルの中心レベルをシフトするユーザ操作を受け付ける操作受付部を備え、
前記合成画像生成部は、
前記操作受付部にて受け付けた前記ユーザ操作に基づいて、前記特定画素または前記非特定画素の信号レベルを調整する
ことを特徴とする付記項５〜７のいずれか一つに記載の画像処理装置。
[付記項９]
画像処理装置が実行する画像処理方法であって、
同一の被写体を撮像して得られた複数の画像データを取得する画像取得ステップと、
前記複数の画像データ毎に、特定の色相の範囲内にある色相を有する特定画素を抽出する特定画素抽出ステップと、
ＨＤＲ合成処理により前記複数の画像データにおける前記特定画素のうち対応する画素同士から一の特定画素を選択し、当該選択した特定画素と、前記特定画素抽出ステップにて抽出されなかった非特定画素とにより構成された合成画像データを生成する合成画像生成ステップとを含む
ことを特徴とする画像処理方法。
[付記項１０]
付記項９に記載の画像処理方法を画像処理装置に実行させる
ことを特徴とする画像処理プログラム。
【符号の説明】
【００８０】
１・・・撮像装置；２・・・撮像部；３・・・メモリ部；４・・・記録部；５・・・操作部；６・・・表示部；７・・・制御部；２１・・・光学系；２２・・・絞り；２３・・・シャッタ；２４・・・駆動部；２５・・・撮像素子；７１・・・露出設定部；７２・・・撮像制御部；７３・・・特定画素抽出部；７４・・・合成画像生成部；７５・・・表示制御部；Ａｒ・・・領域；ＣＳ・・・色相選択画像；Ｈ１，Ｈ２・・・ヒストグラム；Ｌax・・・光軸；Ｍ１・・・第１操作アイコン；Ｍ２・・・第２操作アイコン；ＭＷ・・・メニュー画面；ＳＦ・・・重畳画像；ＴＣＦ・・・スルー画用合成画像；Ｗ１００・・・ライブビュー画像
【図１】
2017033274.tif 000003
【図２】
2017033274.tif 000004
【図３】
2017033274.tif 000005
【図５】
2017033274.tif 000006
【図６Ａ】
2017033274.tif 000007
【図６Ｂ】
2017033274.tif 000008
【図７】
2017033274.tif 000009
【図８】
2017033274.tif 000010
【図９】
2017033274.tif 000011
【図１０】
2017033274.tif 000012
【図１１】
2017033274.tif 000013
【図１２Ａ】
2017033274.tif 000014
【図１２Ｂ】
2017033274.tif 000015
【図１２Ｃ】
2017033274.tif 000016
【図１３】
2017033274.tif 000017
【図１４】
2017033274.tif 000018
【図１５】
2017033274.tif 000019
【図４】
2017033274.tif 000020